(57)【要約】【課題】アプライト型電気掃除機において、集塵袋を使用するタイプ、しないタイプに関わらず、掃除機本体の一部を共用にして、組立を容易にし、生産性を向上する。【解決手段】集塵袋１８を使用する集塵室を構成する掃除機本体上ユニットＡ１１ａと、集塵袋１８を使用せず集塵ボックス２０で集塵室を構成する掃除機本体上ユニットＢ１１ｂを、それぞれ同一の掃除機本体下ユニットに組立可能に構成したもので、掃除機本体下ユニットを共用化でき、また組み立てが容易となり、生産性が向上するものである。【選択図】図２
2011024696.tif 000002
【特許請求の範囲】
【請求項１】
電動送風機を内蔵し電動送風機からの排気を排出する排気口を形成した電動送風機室と、前記電動送風機室の上方で前記電動送風機の吸引側に位置させた集塵室と、前記集塵室の上方へ突出するハンドルとを有する掃除機本体と、前記掃除機本体の下方に回動軸を介して回動自在に軸支され塵埃を床面より吸引する吸込口を前部下方に設けた床ノズルと、前記集塵室と電動送風機室とを連通する吸気通路Ａと、前記吸込口と集塵室とを連通する吸気通路Ｂとを具備し、前記掃除機本体を、電動送風機室を有する掃除機本体下ユニットと、集塵室とハンドルを有する掃除機本体上ユニットとに分割可能に構成したアプライト型電気掃除機。
【請求項２】
掃除機本体下ユニットを、塵埃を集塵する紙袋、布袋等の集塵袋を使用するタイプの集塵室を形成した掃除機本体上ユニットＡ、および、紙袋、布袋等の集塵袋を使用しないタイプの集塵室を形成した掃除機本体上ユニットＢのそれぞれと、組み立て可能に構成した請求項１記載のアプライト型電気掃除機。
【請求項３】
掃除機本体上ユニットＡ、Ｂおよび掃除機本体下ユニットに、それぞれ固定部を設け、前記掃除機本体上ユニットＡ、Ｂの固定部は、掃除機本体下ユニットの固定部に、それぞれ固定部材にて固定可能に構成され、前記固定部材を、掃除機本体の外側より取り外し可能に構成した請求項２記載のアプライト型電気掃除機。
【請求項４】
ハンドルに保持されたパイプを有し、掃除機本体上ユニットＡ、Ｂの集塵室後方に、掃除機本体上ユニットＡ、Ｂの上下方向に貫通するパイプ保持穴を有し、掃除機本体下ユニットには電動送風機室の後方で前記パイプ保持穴と軸中心が同一となる位置にパイプ保持筒を有し、前記ハンドルとパイプをパイプ保持穴とパイプ保持筒にて係止する構成とした請求項２または３記載のアプライト型電気掃除機。
【発明の詳細な説明】
【技術分野】
【０００１】
本発明は、アプライト型電気掃除機に関し、特に組立性、生産性向上に関するものである。
【背景技術】
【０００２】
従来のアプライト型電気掃除機は、集塵部分を、紙袋等の集塵袋を使用する構成とした掃除機本体と、集塵袋を使用しない構成とした掃除機本体とがあり、それぞれ異なる掃除機本体として生産、組立が行われていた（例えば、特許文献１参照）。
【先行技術文献】
【特許文献】
【０００３】
【特許文献１】特許第３７０２４８８号公報
【発明の概要】
【発明が解決しようとする課題】
【０００４】
しかしながら、前記従来の構成では、掃除機本体の集塵室の構成としては、集塵袋を使用する集塵室と集塵ボックスを使用する集塵室の大きく２つの構成があるが、集塵袋と集塵ボックスの集塵室はそれぞれ異なる掃除機本体として生産、組立が行われているが、掃除機本体を構成する主な部品としては電動送風機、床ノズル、集塵室があり、特に電動送風機を構成する掃除機本体の下流側部分については、集塵室が集塵袋、集塵ボックスのいずれであっても、構成としては類似しているにもかかわらず、また集塵室の違いのみであるにもかかわらず、異なる掃除機本体とし、部品を共用とせずに、類似する周辺部品を生産、組立をおこなっているという課題があった。
【０００５】
本発明は、前記従来の課題を解決するもので、集塵袋を使用するタイプの集塵室を構成する掃除機本体上と、集塵袋を使用しないタイプの集塵室を構成する掃除機本体上とをそれぞれ、電動掃除機を具備した、同一の掃除機本体下に、組立が可能に構成することで、生産性、組立性の向上、また共用部品化率を高め、安価で品質向上を目的とする。
【課題を解決するための手段】
【０００６】
前記従来の課題を解決するために、本発明のアプライト型電気掃除機は、電動送風機を内蔵し電動送風機からの排気を排出する排気口を形成した電動送風機室と、前記電動送風機室の上方で前記電動送風機の吸引側に位置させた集塵室と、前記集塵室の上方へ突出するハンドルとを有する掃除機本体と、前記掃除機本体の下方に回動軸を介して回動自在に軸支され塵埃を床面より吸引する吸込口を前部下方に設けた床ノズルと、前記集塵室と電動送風機室とを連通する吸気通路Ａと、前記吸込口と集塵室とを連通する吸気通路Ｂとを具備し、前記掃除機本体を、電動送風機室を有する掃除機本体下ユニットと、集塵室とハンドルを有する掃除機本体上ユニットとに分割可能に構成したもので、それぞれのユニットを別々に組み立てることが可能となり生産性が向上するものである。またアプライト型電気掃除機を梱包する際の梱包箱もコンパクトに構成できるものである。
【発明の効果】
【０００７】
本発明のアプライト型電気掃除機によれば、組み立てが容易で、生産性が向上し、また梱包箱もコンパクトに構成できるものである。
【図面の簡単な説明】
【０００８】
【図１】本発明の実施の形態１における電気掃除機の正面図
【図２】（ａ）同、集塵袋を使用しない構成の集塵室を具備した掃除機本体上まわりの正面図（ｂ）同、集塵袋を使用する構成の集塵室を具備した掃除機本体上まわりの正面図（ｃ）（ｂ）の正面図のａ−ａ断面図
【図３】同、電気掃除機の梱包状態を示すイメージ図
【図４】本発明の実施の形態２における電気掃除機の側面図
【図５】同、電気掃除機のハンドルまわりの側面図
【発明を実施するための形態】
【０００９】
第１の発明は、電動送風機を内蔵し電動送風機からの排気を排出する排気口を形成した電動送風機室と、前記電動送風機室の上方で前記電動送風機の吸引側に位置させた集塵室と、前記集塵室の上方へ突出するハンドルとを有する掃除機本体と、前記掃除機本体の下方に回動軸を介して回動自在に軸支され塵埃を床面より吸引する吸込口を前部下方に設けた床ノズルと、前記集塵室と電動送風機室とを連通する吸気通路Ａと、前記吸込口と集塵室とを連通する吸気通路Ｂとを具備し、前記掃除機本体を、電動送風機室を有する掃除機本体下ユニットと、集塵室とハンドルを有する掃除機本体上ユニットとに分割可能に構成したもので、それぞれのユニットを別々に組み立てることが可能となり生産性が向上するものである。またアプライト型電気掃除機を梱包する際の梱包箱もコンパクトに構成できるものである。
【００１０】
第２の発明は、第１の発明の掃除機本体下ユニットは、塵埃を集塵する紙袋、布袋等の集塵袋を使用するタイプの集塵室を形成した掃除機本体上ユニットＡ、および、紙袋、布袋等の集塵袋を使用しないタイプの集塵室を形成した掃除機本体上ユニットＢそれぞれと組み立て可能に構成されたもので、第１の発明の効果に加えて、掃除機本体下ユニットを共用化でき、生産性、組み立て性の向上ができると共に、共用部品を多く使用できるため品質の安定、向上が行えるものである。
【００１１】
第３の発明は、第２の発明の掃除機本体上ユニットＡ、Ｂおよび掃除機本体下ユニットに、それぞれ固定部を設け、前記掃除機本体上ユニットＡ、Ｂの固定部は、掃除機本体下ユニットの固定部に、それぞれ固定部材にて固定可能に構成され、前記固定部材を、掃除機本体の外側より取り外し可能に構成したもので、掃除機本体上ユニットＡ、Ｂと掃除機本体下ユニットの固定を外部から行えることで、使用者が購入時に組み立てを行う事が可能で、掃除機本体上ユニットと掃除機本体下ユニットとを分離した状態で梱包することが可能となり、梱包形態がアップライト型では長細い長方形の形態より正方形に近づけることが可能となり持ち運びが容易な梱包が可能となる。また倉庫、コンテナ寸法規制に合わせた梱包寸法に変更が可能であり、第２の発明に加え、持ち運びが容易な梱包で、コンテナ等のスペースの有効活用も行えるものである。
【００１２】
第４の発明は、第２または第３の発明のハンドルに保持されたパイプを有し、掃除機本体上ユニットＡ、Ｂの集塵室後方に、掃除機本体の上下方向に貫通するパイプ保持穴を有し、掃除機本体下ユニットには電動送風機室の後方で前記パイプ保持穴と軸中心が同一となる位置にパイプ保持筒を有し、前記ハンドルとパイプをパイプ保持穴とパイプ保持筒にて係止する構成としたもので、掃除機本体上ユニットと掃除機本体下ユニットとにそれぞれパイプを保持する部分を構成しパイプを固定することでパイプが梁となり、第１〜第３の発明の効果に加え、掃除機本体の強度を向上させることが可能となるものである。
【００１３】
以下、本発明の実施の形態について、図面を参照しながら説明する。なお、この実施の形態によって、本発明が限定されるものではない。
【００１４】
（実施の形態１）
本発明の第１の実施の形態における電気掃除機について、図１〜図３を用いて説明する
。
【００１５】
図１において、１は掃除機本体下ユニットで、掃除機本体下ユニット１には電動送風機２を収納し電動送風機２の排気を排出する排気口３と電動送風機の吸引側に電動送風機室側吸引通路４（ａ）具備した電動送風機室５を有している。６は床ノズルであり底面に塵埃を床面より吸引するための吸込口７と移動用の床ノズルローラー８を有している。床ノズル６は掃除機本体下ユニット１の回動軸９により回動自在に軸支されたものである。１０は掃除機本体下１に回動自在に保持された移動用のローラーである。
【００１６】
次に１１は掃除機本体上ユニットで、掃除機本体上ユニット１１には塵埃を収集する集塵室１２を有したものである。また、集塵室１２と電動送風機室５とを連通する吸気通路Ａ４と、集塵室１２と床ノズル６の吸込口７と連通するための吸気通路Ｂ１３を有したものである。吸込口７と吸気通路Ｂ１３はホース１４にて連通され、吸込口７側は着脱自在に取り付けられたものである。掃除機本体上１１下方には取付座１５と、掃除機本体下１の上方には取り付け部１６を有しており、掃除機本体上ユニット１と掃除機本体下ユニット１１は取り付け座１５と取り付け部１６にてビス等の固定部材１７にて固定されたものである。
【００１７】
次に図２において、１１ａは集塵室１２内に紙や布等で形成された集塵袋１８と集塵室を覆う蓋体１９を有した掃除機本体上ユニットＡである。１１ｂは、集塵袋１８を使用せず、集塵ボックス２０にて集塵室１２を形成した掃除機本体上ユニットＢである。掃除機本体上ユニットＡ１１ａと掃除機本体上ユニットＢ１１ｂは同一形状の取り付け座１５を形成し、また吸気通路Ａ４についても底面での出口形状、位置も同一に形成されたものである。
【００１８】
以上のように構成された電気掃除機について、以下その作用を説明する。
【００１９】
図１のように、掃除機本体下ユニット１と掃除機本体上ユニット１１とでユニット化とすることで、それぞれのユニットを別々に組み立てることが可能となり生産性の向上ができるものである。また、図２のように掃除機本体下ユニット１に組立が可能な、集塵形態の異なる集塵袋１８の掃除機本体上ユニットＡ１１ａと集塵ボックス２０の掃除機本体上ユニットＢ１１ｂを構成することで、掃除機本体下ユニット１を共用しニーズを２分する２つの集塵方式の製品を生産することが可能となり、生産性の向上及び、掃除機本体下ユニットを共用化することで安価で品質安定した製品を供給できるものである。
【００２０】
また図３のように、掃除機本体下ユニット１と掃除機本体上ユニット１１とを分割することにより、梱包箱２１を従来のアップライト型掃除機での細長い長方形より正方形に近づけることが可能で梱包形態の幅が広がり、持ち運びがし易い梱包が可能となる。また倉庫、コンテナ寸法規制に合わせた梱包寸法に変更が可能でありコンテナ等のスペースの有効活用が行えるものである。
【００２１】
（実施の形態２）
本発明の第２の実施の形態における電気掃除機について、図４〜図５を用いて説明する。
【００２２】
図４において、２２は内部が中空の筒状のパイプであり、一端に移動用のハンドル２３を固定したものである。ハンドル２３にはハンドル内吸気通路２４を形成し一端をパイプ２２と連通し他端はホース１４と接続が可能な接続部２５を構成している。パイプ２２の他端は掃除機本体上ユニット１１の集塵室１２の後方に形成されたパイプ保持穴２６を貫通し、掃除機本体下ユニット１の電動送風機室５の後方に形成されたパイプ保持筒２７に
挿入され保持されたものである。また２８は尾錠でありパイプ保持穴２６に回動自在に保持され、パイプ２２に設け引掛け部２９と勘合しパイプ２２を着脱自在に固定したものである。
【００２３】
以上のように構成された電気掃除機について、以下その作用を説明する。
【００２４】
図４のように、掃除機本体下ユニット１と掃除機本体上ユニット１１を、取り付け座１５、取り付け部１６を保持部材１７にて固定したものであるが、掃除機の略中央にて分断された構成のため、掃除機本体下ユニット１と掃除機本体上下ユニット１１とにそれぞれパイプ２２を保持する保持穴２６、保持筒２７にて保持することで、パイプが梁となり掃除機本体の強度を向上させることが可能となるものである。
【００２５】
次に図５のようにハンドル２３、パイプ２２を掃除機本体下ユニット１、掃除機本体上ユニット１１より取り外し、ノズル６の吸気口７側を着脱自在に保持されたホース１４を取り外し、取り外したホース１４をハンドル２３の接続部２５に接続し掃除機を使用する事が出来るものであり、強度向上のためのパイプ２２を延長管として使用が可能で使用性を向上させたものである。
【産業上の利用可能性】
【００２６】
以上のように、本発明に係るアプライト型電気掃除機は、組み立てが容易で、生産性が向上し、また梱包箱もコンパクトに構成できるもので、家庭用だけでなく、業務用等、幅広く、利用できるものである。
【符号の説明】
【００２７】
１  掃除機本体下ユニット
２  電動送風機
３  排気口
４  吸気通路Ａ
５  電動送風機室
６  床ノズル
７  吸込口
１１  掃除機本体上ユニット
１２  集塵室
１３  吸気通路Ｂ
１４  ホース
１５  取り付け座
１６  取り付け部
１７  固定部材
１８  集塵袋
【図１】
2011024696.tif 000003
【図２】
2011024696.tif 000004
【図３】
2011024696.tif 000005
【図４】
2011024696.tif 000006
【図５】
2011024696.tif 000007